(57)【要約】【課題】照明器具の保守作業性が良いとともに、かご室内の光量を確保しやすいエレベータかごの天井照明装置を提供する。【解決手段】エレベータかごの天井照明装置１は、複数の照明器具３５と、ケース３６と、ヒンジ部３７と、ロック装置３８とを具備する。ケース３６は、複数の照明器具３５を内部に収容するケースであって、照明器具３５をかご室２２内に露出させる開口部４３を下面に有する固定部４１と、開口部４３に配置され、複数の照明器具３５の下方を覆う可動部４２とを有する。ヒンジ部３７は、天井部３３の第１の周縁部３３ａに配置されるとともに、可動部４２の一端部４２ａに連結されている。ロック装置３８は、天井部３３の第２の周縁部３３ｂに配置され、可動部４２の他端部４２ｂを解放可能に保持する。【選択図】      図４
2010006572.tif 000002
【特許請求の範囲】
【請求項１】
エレベータのかご室の天井部に設けられる天井照明装置であって、
上記天井部は、第１の周縁部と、当該天井部のなかで上記第１の周縁部とは反対側に位置する第２の周縁部とを有し、
上記天井照明装置は、
複数の照明器具と、
上記天井部の第１および第２の周縁部の間に亘って設けられるとともに、上記複数の照明器具を内部に収容するケースであって、上記かご室に対して固定されるとともに、上記照明器具を上記かご室内に露出させる開口部を下面に有する固定部と、上記開口部に配置され、上記天井部の第１および第２の周縁部の間に亘って延びるとともに、上記複数の照明器具の下方を覆う可動部とを有するケースと、
上記天井部の第１の周縁部に配置されるとともに、上記可動部の一端部に連結され、上記可動部を、上記開口部に配置される第１の姿勢と、上記第１の姿勢から下方に開いて上記開口部を開放する第２の姿勢との間で回動可能に支持するヒンジ部と、
上記天井部の第２の周縁部に配置され、上記第１の姿勢にある上記可動部の他端部を解放可能に保持するロック装置と、
を具備することを特徴とするエレベータかごの天井照明装置。
【請求項２】
請求項１の記載において、
上記ロック装置は、上記可動部の上面の周縁部に設けられるとともに、上記ロック装置は、上記可動部の端部と上記開口部の開口縁との間の隙間の上方に配置されたロック解除部を有することを特徴とするエレベータかごの天井照明装置。
【請求項３】
請求項２の記載において、
前記ロック装置は、ラッチ部とフック部とを有するとともに、上記ラッチ部が上記フック部を拘束することによりロック状態となり、上記ラッチ部が上記フック部を解放することにより解放状態となり、上記固定部および上記可動部のいずれか一方には、上記ラッチ部が設けられ、上記固定部および上記可動部の残りの一方には、上記フック部が設けられることを特徴とするエレベータかごの天井照明装置。
【請求項４】
請求項３の記載において、
上記ロック装置は、上記ロック解除部に連結された操作レバーを有し、この操作レバーは、上記可動部の端部と上記開口部の開口縁との間の隙間に配置されることを特徴とするエレベータかごの天井照明装置。
【請求項５】
請求項３の記載において、
上記ロック解除部は、操作されることで上記ラッチ部に上記フック部を解放させるロックピンであり、上記可動部の端部と上記開口部の開口縁との間の隙間に差し込まれた治具によって上記ロック解除部を操作することで上記ロック状態が解除されることを特徴とするエレベータかごの天井照明装置。
【請求項６】
請求項５の記載において、
上記ロック装置とは別に上記可動部を上記固定部に固定する誤動作防止用のロックねじを備えることを特徴とするエレベータかごの天井照明装置。
【発明の詳細な説明】
【技術分野】
【０００１】
本発明は、エレベータかごの天井部に設置される天井照明装置に関する。
【背景技術】
【０００２】
エレベータかごの天井照明装置は、天井に吊設された照明灯と、この照明灯の下方を覆うケースとを備える。そして天井の天板には、保守時に照明灯を露出させる点検口が設けられている。保守員は、エレベータかごの上に乗り込み、上記点検口を通じて照明灯を交換したり、ケース内を清掃したりする。
【０００３】
また天井照明装置のなかには、ケースの下面に点検口が設けられたものがある。この点検口は、ケースに着脱自在に取り付けられた照明板により覆われている。照明板は、マジックテープ（登録商標）やスライド機構を介してケースに取り付けられており、保守時にかご内から取り外すことができるようになっている。
【０００４】
特許文献１は、照明灯の保守点検がやりやすく、かつ、いたずらされにくいエレベータの天井照明装置を開示している。この天井照明装置は、内部に照明灯を備えた第２天井を備える。この第２天井の側壁は、水平方向に開口した操作口が設けられている。この操作口は、起立した姿勢で配置された操作口蓋により覆われている。この操作口蓋は、下部がヒンジによって支持されて回動可能であるとともに、上部がロック装置によりロックされている。操作口蓋を開くときは、第２天井と天井板との間にロック解除具を挿入して、上記ロック装置を解除する。
【特許文献１】特開２００７−２４６２４３号公報
【発明の開示】
【発明が解決しようとする課題】
【０００５】
ところで、点検口が天井の天板に設けられている場合は、保守員がかご上に乗り込む必要があるため、エレベータを乗り込み禁止として停止させる必要がある。また、マジックテープやスライド機構を介してケース下面に照明板が取り付けられている場合、この照明板を取り外すときに照明板を周囲にぶつけてしまい、照明板が割れたり、傷付いたり、また照明器具を破損させるおそれがある。これらは保守作業性の観点から改善の余地がある。
【０００６】
また上記特許文献１に記載の天井照明装置では、第２天井の側壁に操作口が設けられているために天井照明装置の構成が大きく制約される。つまり、第２天井の側壁に開口する操作口を通じて保守作業を行うために、操作口の側方に作業用の空間を十分に確保しておく必要がある。そのため、天井照明装置の大きさが限定され、照明面積を大きく確保しにくく、かご室内の光量を向上させることが難しい。
【０００７】
本発明の目的は、照明器具の保守作業性が良いとともに、かご室内の光量を確保しやすいエレベータかごの天井照明装置を提供することにある。
【課題を解決するための手段】
【０００８】
（１）本発明の一つの形態に係るエレベータかごの天井照明装置は、エレベータのかご室の天井部に設けられるものである。上記天井部は、第１の周縁部と、当該天井部のなかで上記第１の周縁部とは反対側に位置する第２の周縁部とを有する。上記天井照明装置は、複数の照明器具と、ケースと、ヒンジ部と、ロック装置とを具備する。上記ケースは、上記天井部の第１および第２の周縁部の間に亘って設けられるとともに、上記複数の照明器具を内部に収容する。上記ケースは、上記かご室に対して固定されるとともに、上記照明器具を上記かご室内に露出させる開口部を下面に有する固定部と、上記開口部に配置され、上記天井部の第１および第２の周縁部の間に亘って延びるとともに、上記複数の照明器具の下方を覆う可動部とを有する。上記ヒンジ部は、上記天井部の第１の周縁部に配置されるとともに、上記可動部の一端部に連結され、上記可動部を、上記開口部に配置される第１の姿勢と、上記第１の姿勢から下方に開いて上記開口部を開放する第２の姿勢との間で回動可能に支持する。上記ロック装置は、上記天井部の第２の周縁部に配置され、上記第１の姿勢にある上記可動部の他端部を解放可能に保持する。
【０００９】
（２）上記（１）に記載のエレベータかごの天井照明装置の一つの形態では、上記ロック装置は、上記可動部の上面の周縁部に設けられるとともに、上記ロック装置は、上記可動部の端部と上記開口部の開口縁との間の隙間の上方に配置されたロック解除部を有する。
【００１０】
（３）上記（２）に記載のエレベータかごの天井照明装置の一つの形態では、前記ロック装置は、ラッチ部とフック部とを有するとともに、上記ラッチ部が上記フック部を拘束することによりロック状態となり、上記ラッチ部が上記フック部を解放することにより解放状態となり、上記固定部および上記可動部のいずれか一方には、上記ラッチ部が設けられ、上記固定部および上記可動部の残りの一方には、上記フック部が設けられる。
【００１１】
（４）上記（３）に記載のエレベータかごの天井照明装置の一つの形態では、上記ロック装置は、上記ロック解除部に連結された操作レバーを有し、この操作レバーは、上記可動部の端部と上記開口部の開口縁との間の隙間に配置される。
【００１２】
（５）上記（３）に記載のエレベータかごの天井照明装置の一つの形態では、上記ロック解除部は、操作されることで上記ラッチ部に上記フック部を解放させるロックピンであり、上記可動部の端部と上記開口部の開口縁との間の隙間に差し込まれた治具によって上記ロック解除部を操作することで上記ロック状態が解除される。
【００１３】
（６）上記（５）に記載のエレベータかごの天井照明装置の一つの形態では、上記ロック装置とは別に上記可動部を上記固定部に固定する誤動作防止用のロックねじを備える。
【発明の効果】
【００１４】
本発明によれば、照明器具の保守作業性が良いとともに、かご室内の光量を確保しやすいエレベータかごの天井照明装置が提供される。
【発明を実施するための最良の形態】
【００１５】
以下、本発明の実施の形態について、図１ないし図９を参照して説明する。まず、図１を参照して、本発明の第１ないし第４の実施形態に係るエレベータの天井照明装置１が適用されるエレベータ２の全体について概略的に説明する。
【００１６】
図１に示すように、エレベータ２は、それぞれ昇降路３内に配置された乗籠４と釣合いおもり５とを備える。各利用階には、乗籠４に乗降するためのホール６が設けられている。ホール６は、ホール出入口７と、このホール出入口７を開閉可能に閉じるホールドア８とを備える。
【００１７】
昇降路３の上方には機械室９が設けられている。この機械室９には、巻上機１０が設置されるとともに、例えばエレベータ２の全体を制御する制御装置１１が設けられている。巻上機１０は、メインシーブ１３と、このメインシーブ１３を回転駆動するモータ１４と備える。メインシーブ１３には、乗籠４と釣合いおもり５が釣瓶式に連結されたメインロープ１５が巻き掛けられている。
【００１８】
図１に示すように、乗籠４は、かご枠２１と、かご室２２とを備える。かご枠２１は、それぞれ鋼材である上梁、下梁、および鉛直方向に延びる一対の縦枠が組み立てられて枠状に形成されている。かご室２２は、利用者が乗車可能な箱形に形成されているとともに、かご枠２１内に配置されている。
【００１９】
図２は、かご室２２の内部を示す。かご室２２は、かご床２３、側板２４ａ，２４ｂ、乗籠出入口２５、幕板２６、リターンパネル２７ａ，２７ｂ、および天井２８を備える。側板２４ａ，２４ｂは、かご室２２の外壁を形成する壁板であり、かご床２３の周縁部から起立している。乗籠出入口２５には、乗籠ドア２９ａ，２９ｂが設けられている。
【００２０】
以下、図１ないし図９を参照して、エレベータの天井照明装置１について説明する。  
（第１の実施形態）  
図３ないし図６は、本発明の第１の実施形態に係るエレベータの天井照明装置１を示す。図３に示すように、かご室２２の天井２８は、いわゆる第１天井であり、天板３１と、天井側板３２とを有する。天板３１は、かご室２２の上端部において水平方向に延びており、かご室２２内の内部空間に上方から対向している。
【００２１】
天井側板３２は、天板３１の端部から下方に延びているとともに、その下端部がかご室２２の外側に向いて水平方向に折れ曲っている。そして折れ曲った天井側板３２の下端部は、側板２４ａ，２４ｂの上端部に繋がっている。これにより天井側板３２は、天井２８の周縁部において、天板３１よりも低い位置でかご室２２内に臨む天井壁を形成している。天板３１および天井側板３２は、天井部３３を規定している。本明細書でいう天井部３３とは、かご室２２内の上部に形成された空間のことであり、例えば天板３１と天井側板３２とによって囲まれた空間である。
【００２２】
図４に示すように、天井部３３は、第１および第２の周縁部３３ａ，３３ｂを有する。第１の周縁部３３ａは、例えばかご室２２の奥部となる周縁部である。第２の周縁部３３ｂは、天井部３３のなかで第１の周縁部３３ａとは反対側に位置し、例えばかご室２２の乗籠出入口２５側の周縁部である。また図３に示すように、天井部３３は、第３および第４の周縁部３３ｃ，３３ｄを有する。第３および第４の周縁部３３ｃ，３３ｄは夫々、かご室２２の幅方向（左右方向）の周縁部である。第４の周縁部３３ｄは、天井部３３のなかで第３の周縁部３３ｃとは反対側に位置する。
【００２３】
図３に示すように、天井照明装置１は、かご室２２の天井部３３に設置されている。図４に示すように、本実施形態に係る天井照明装置１は、複数の照明器具３５、ケース３６、ヒンジ部３７、およびロック装置３８を備える。
【００２４】
図３に示すように、天板３１の下面３１ａ（すなわち下部）には、複数の照明器具３５が取り付けられている。照明器具３５は、かご室２２内を照らす照明灯である。  
ケース３６は、いわゆる第２天井を形成する。ケース３６は、第１および第２の周縁部３３ａ，３３ｂの間、並びに第３および第４の周縁部３３ｃ，３３ｄの間に亘って設けられている。すなわちケース３６は、天井部３３の略全域に亘って設けられている。ケース３６は、例えば箱形に形成されており、上記複数の照明器具３５を内部に収容している。
【００２５】
ケース３６は、固定部４１と、可動部４２とを有する。固定部４１は、例えば天板３１の下面３１ａ（すなわち下部）に取り付けられ、かご室２２に対して固定されている。固定部４１の下面は、上記複数の照明器具３５を一括してかご室２２内に露出させる開口部４３（いわゆる点検口）を有する。詳しく述べると、固定部４１は、ケース側板４４と、一対の支持部材４５ａ，４５ｂとを有する。
【００２６】
図３および図４に示すように、ケース側板４４は、起立して延びるとともに、例えば上端部が天板３１に固定されている。ケース側板４４は、例えばケースの４方向全ての側面部に設けられていてもよく、または２方向や３方向の側面部に設けられ、残りの側面部が開放されていてもよい。このケース側板４４の下端部４４ａが上記開口部４３の開口縁４ａを規定している。すなわち、ケース側板４４の下端部４４ａに囲まれた領域が開口部４３となっている。
【００２７】
図３および図４に示すように、一対の支持部材４５ａ，４５ｂは、例えば水平方向に延びる鋼材であり、より詳しくはＬアングル鋼材である。図３に示すように、一対の支持部材４５ａ，４５ｂは、かご室２２の幅方向に分かれて配置され、それぞれ天井部３３の第３または第４の周縁部３３ｃ，３３ｄに配置されている。図４に示すように、一対の支持部材４５ａ，４５ｂは、例えばかご室２２の奥行き方向に沿って延びており、天井部３３の第１および第２の周縁部３３ａ，３３ｂの間に亘って延びている。支持部材４５ａ，４５ｂは、ケース側板４４に固定されている。なお支持部材４５ａ，４５ｂは、天板３１に直接固定されていてもよい。
【００２８】
図３および図４に示すように、可動部４２は、水平方向に広がる平板状の部材であり、開口部４３に配置されている。可動部４２は、天井部３３の第１および第２の周縁部３３ａ，３３ｂの間、並びに第３および第４の周縁部３３ｃ，３３ｄの間に亘って延びている。すなわち可動部４２は、天井部３３の略全域に亘って設けられている。可動部４２は、上記複数の照明器具３５の下方を一体に覆っている。可動部４２は、いわゆる照光板であり、照明器具３５の放つ光をかご室２２内へ通過させる透光性を有する。可動部４２は、例えばアクリル部材やガラスクロス（ガラスの繊維を織り込んだ布材）である。
【００２９】
可動部４２は、第１および第２の端部４２ａ，４２ｂを有する。第１の端部４２ａは、かご室２２の奥側の端部であり、天井部３３の第１の周縁部３３ａに位置している。第２の端部４２ｂは、かご室２２の乗籠出入口２５側の端部であり、天井部３３の第２の周縁部３３ｂに位置している。
【００３０】
図４に示すように、ヒンジ部３７は、天井部３３の第１の周縁部３３ａに配置されている。ヒンジ部３７は、支持部材４５ａ，４５ｂ（すなわち固定部４１）と可動部４２との間に設けられている。ヒンジ部３７は、例えば一対設けられ、可動部４２の幅方向の両端部４２ｃ，４２ｃと一対の支持部材４５ａ，４５ｂとの間夫々に取り付けられている。
【００３１】
図６は、一方のヒンジ部３７を代表して示す。ヒンジ部３７は、支持部材４５ｂに連結されるとともに、可動部４２の第１の端部４２ａに連結されている。詳しく述べると、ヒンジ部３７は、第１および第２の部材３７ａ，３７ｂ、並びにヒンジ軸３７ｃを有する。第１の部材３７ａは、支持部材４５ｂに固定されている。第２の部材３７ｂは、可動部４２の第１の端部４２ａに固定されている。ヒンジ軸３７ｃは、第１および第２の部材３７ａ，３７ｂを互いに回動可能に連結している。なお支持部材４５ａに取り付けられるヒンジ部３７も同じ構成を有する。
【００３２】
これにより図４および図６に示すように、ヒンジ部３７は、可動部４２を、開口部４３に配置される第１の姿勢（図中、実線で表示）と、上記第１の姿勢から下方に開いて開口部４３を開放する第２の姿勢（図中、２点鎖線で表示）との間で回動可能に支持する。上記第２の姿勢では、上記複数の照明器具３５が開口部４３を通じてかご室２２内に露出される。
【００３３】
図４に示すように、ロック装置３８は、天井部３３の第２の周縁部３３ｂに配置されている。ロック装置３８は、上記第１の姿勢にある可動部４２の第２の端部４２ｂを解放可能に保持する。図３に示すように、ロック装置３８は、例えば一対設けられ、可動部４２の幅方向の両端部に取り付けられている。
【００３４】
図５に示すように、ロック装置３８は、可動部４２の上面４２ｅの周縁部に設けられている。ロック装置３８は、互いに係合可能なラッチ部３８ａとフック部３８ｂとを有する。ラッチ部３８ａは、可動部４２の上面４２ｅに固定されている。フック部３８ｂは、支持部材４５ａ，４５ｂ（すなわち固定部４１）に固定されている。なおフック部３８ｂは、支持部材４５ａ，４５ｂ以外の固定部４１に固定されていてもよい。またラッチ部３８ａが固定部４１に設けられるとともに、フック部３８ｂが可動部４２に設けられていてもよい。
【００３５】
ラッチ部３８ａがフック部３８ｂを拘束することにより、ロック装置３８は可動部４２の第２の端部４２ｂを保持するロック状態となる。一方、ラッチ部３８ａがフック部３８ｂを開放することにより、ロック装置３８は可動部４２の第２の端部４２ｂを解放する解放状態となる。
【００３６】
図５に示すように、ロック装置３８は、このロック装置３８を作動させて上記ロック状態から上記解放状態へ移行させるロック解除部３８ｃを有する。固定部４１と可動部４２との間には、可動部４２の端部４２ｃと開口部４３の開口縁４３ａとによって規定される隙間Ｓがある。ロック解除部３８ｃは、この可動部４２の端部４２ｃと開口部４３の開口縁４３ａとの間の隙間Ｓの上方に配置されている。
【００３７】
次に、天井照明装置１の作用について説明する。  
通常時は、ロック装置３８がロック状態にあり、ケース３６の可動部４２は、ロック装置３８に保持されて上記第１の姿勢にある。このとき天井部３３に設けられた照明器具３５は、可動部４２によって覆い隠された状態にある。
【００３８】
保守を行うときは、保守員は、かご室２２内から、可動部４２の端部４２ｃと開口部４３の開口縁４３ａとの間の隙間Ｓに手または治具を差し込み、ロック解除部３８ｃを操作（例えば押し上げ動作）する。これによりロック装置３８が解放状態となり、可動部４２の保持が解除される。この保持が解除された状態で、ヒンジ部３７を中心として可動部４２を回動させることで、可動部４２が上記第２の姿勢になる。
【００３９】
可動部４２を上記第２の姿勢にすると、天井部３３に設けられた照明器具３５が固定部４１の開口部４３を通じてかご室２２内に露出される。すなわち天井下面のほぼ全面が可動部４２として開き、ケース３６に周囲を囲まれた照明器具３５をかご室２２内から視認することができる。
【００４０】
これにより保守員は、開口部４３を通じて、かご室２２内から照明器具３５の保守作業を行うことができる。例えば照明器具３５（例えば照明ランプ）の寿命が切れていたり、暗くなったりしている場合には、保守作業としてランプ交換などを行う。
【００４１】
このような構成の天井照明装置１によれば、照明器具３５の保守作業性が良いとともに、かご室２２内の光量を確保しやすくなる。すなわち、本実施形態に係る天井照明装置１は、可動部４２を有するケース３６と、可動部４２の第１の端部４２ａを回動可能に支持するヒンジ部３７と、可動部４２の第２の端部４２ｂを解放可能に保持するロック装置３８とを有する。可動部４２は、天井部３３の第１および第２の周縁部３３ａ，３３ｂの間に亘って延びている。
【００４２】
このような構成によれば、保守員は、かご室２２内からの作業で、照明器具３５をかご室２２内に露出させることができる。そして保守員は、かご室２２内から照明器具３５を点検および交換することができる。つまり保守員は、かご室２２の上に乗り込む必要がない。したがってエレベータ２を点検モードとして一般利用者の乗り込みを禁止する必要がないため、利用者に迷惑をかけることが少なくなる。また、点検モードとする必要がなければ乗り込み禁止とするための点検札や安全策などが不要となり、作業時間として大幅な短縮が可能となる。
【００４３】
また本実施形態に係る可動部４２は、照明器具３５を露出させた状態においてもヒンジ部３７を介して固定部４１に連結されている。このため、照明器具３５を露出させるときに、可動部４２（すなわち照明板）を周囲にぶつけてしまい、可動部４２が割れたり、傷付いたり、また照明器具３５が破損するおそれが小さい。このため本実施形態に係る天井照明装置１は、保守作業性が良好である。
【００４４】
ここで、開口部４３がケース３６の側面に開口している場合、保守員が開口部４３を通じて保守作業を行うために、開口部４３の側部に作業用の空間を十分に確保しておく必要がある。そのため照明面積を大きく確保しにくく、光量を確保することが難しい。
【００４５】
一方、本実施形態に係るケース３６は、点検口としての開口部４３がケース３６の下面に設けられている。そのため、開口部４３の側部に作業用の空間を確保する必要がない。換言すれば、可動部４２を有するケース３６を天井部３３のほぼ全域に亘って設けることができる。したがって照明面積を確保しやすく、かご室２２内の光量を大きく確保することができる。また、ケース３６が天井部３３のほぼ全域に亘って設けられると、天井部の外観が良くなり、見栄えも良好な天井照明装置１が提供される。
【００４６】
ロック装置３８のロック解除部３８ｃが、可動部４２の端部４２ｃと開口部４３の開口縁４３ａとの間の隙間Ｓの上方に配置されていると、ロック解除部３８ｃが一般の利用者にほとんど見られることがない。そのため、一般の利用者が誤ってロック装置３８を解除することや、いたずら目的でロック装置３８を解除することが抑制される。
【００４７】
ロック装置３８が、互いに係合可能なラッチ部３８ａとフック部３８ｂとを有するとともに、固定部４１および可動部４２のいずれか一方にラッチ部３８ａが設けられ、固定部４１および可動部４２の残りの一方にフック部３８ｂが設けられると、比較的簡単な構成で上記ロック装置３８が実現可能である。
【００４８】
（第２の実施形態）  
次に、本発明の第２の実施形態に係るエレベータかごの天井照明装置１について、図７を参照して説明する。なお上記第１の実施形態の構成と同一または類似の機能を有する構成は、同一の符号を付してその説明を省略する。本実施形態に係る天井照明装置１は、例えば第１の実施形態と同様のエレベータ２に設けられる。
【００４９】
図７に示すように、本実施形態に係るロック装置３８は、ロック解除部３８ｃに連結された操作レバー５１を有する。ロック装置３８は、例えば操作レバー５１を回動させることで上記ロック状態を解除する。詳しく述べると、操作レバー５１は、ケース３６の可動部４２の端部４２ｃと開口部４３の開口縁４３ａとの間の隙間Ｓに配置されている。すなわち操作レバー５１の下端部５１ａは、可動部４２の端部４２ｃと開口部４３の開口縁４３ａと間に位置している。保守員は、可動部４２の端部４２ｃと開口部４３の開口縁４３ａとの間の隙間Ｓに手を差し込み、操作レバー５１の下端部５１ａを移動させることで上記ロック状態を解除する。
【００５０】
操作レバー５１の下端５１ｂは、例えば可動部４２の下面４２ｆ（すなわちかご室２２内に臨む意匠面）よりも上方に位置している。操作レバー５１の下端部５１ａは、可動部４２の端部４２ｃと開口部４３の開口縁４３ａと間に保守員が手を挿入したとき、保守員が操作することができる位置に配置されている。上記説明した以外の天井照明装置１の残りの構成は上記第１の実施形態と同じである。
【００５１】
このような構成の天井照明装置１によれば、上記第１の実施形態と同様に、照明器具３５の保守作業性が良いとともに、かご室２２内の光量を確保しやすくなる。
【００５２】
ロック装置３８が、ロック解除部３８ｃに連結された操作レバー５１を有し、この操作レバー５１が可動部４２の端部４２ｃと開口部４３の開口縁４３ａとの間の隙間Ｓに配置されていると、操作レバー５１やロック解除部３８ｃが一般の利用者から非常に見えづらく、さらにいたずらされにくくなる。
【００５３】
操作レバー５１を設けることで、可動部４２の端部４２ｃと開口部４３の開口縁４３ａと間の隙間Ｓをある程度狭くしても、保守員はロック解除部３８ｃを操作することができる。これにより、隙間Ｓを小さくして可動部４２の大きさをより大きくすることが可能になり、照明面積をより確保しやすく、かご室２２内の光量をより大きく確保することができる。また可動部４２の端部４２ｃと開口部４３の開口縁４３ａと間の隙間Ｓを狭くすることができると、操作レバー５１やロック解除部３８ｃが一般の利用者からさらに見えづらくなるので、いたずら防止にも有効である。
【００５４】
（第３の実施形態）  
次に、本発明の第３の実施形態に係るエレベータかごの天井照明装置１について、図８を参照して説明する。なお上記第１の実施形態の構成と同一または類似の機能を有する構成は、同一の符号を付してその説明を省略する。本実施形態に係る天井照明装置１は、例えば第１の実施形態と同様のエレベータ２に設けられる。
【００５５】
本実施形態に係るロック装置３８のロック解除部３８ｃは、操作されることでラッチ部３８ａにフック部３８ｂを解放させるロックピンである。すなわちロックピンであるロック解除部３８ｃを例えば上方に持ち上げることで、ロック装置３８が開放状態になる。
【００５６】
本実施形態では、可動部４２の端部４２ｃと開口部４３の開口縁４３ａと間の隙間Ｓの幅Ｗ（図５参照）は、例えば１０ｍｍである。可動部４２の端部４２ｃと開口部４３の開口縁４３ａと間の隙間Ｓの長さＬ（すなわち可動部４２の厚さ、図２参照）は、１００ｍｍである。図５および図８に示すように、ロック解除部３８ｃは、可動部４２の上面４２ｅよりも上方に位置している。すなわち可動部４２の端部４２ｃと開口部４３の開口縁４３ａと間の隙間Ｓは、手が入らないように狭く形成され、ロック解除部３８ｃには直接手が触れることができないようになっている。
【００５７】
図５に示すように、本実施形態に係るロック解除部３８ｃは、可動部４２の端部４２ｃと開口部４３の開口縁４３ａとの間の隙間Ｓに差し込まれた治具６１によって操作される（例えば押し上げられる）ことで、ロック装置３８のロック状態が解除される。
【００５８】
治具６１は、例えばアンロックキーである。ホール出入口７を閉じるホールドア８は、インターロック機構を有する。インターロック機構は、互いに着脱自在に係合するフック部とキャッチ部とを有する。そして乗籠４がホール６に到着したとき、そのホール６に対応したインターロック機構のキャッチ部とフック部の係合が解除されてホールドア８が開閉可能になる。一方、乗籠４が不在のときは上記キャッチ部がフック部に係合しており、ホールドア８が閉じられた状態でロックされている。
【００５９】
アンロックキーは、エレベータ２の保守点検時に乗籠４が不在のホール６のインターロック機構をホール６側から操作するための治具である。すなわち、アンロックキーを使用して、ホール６内からフック部を持ち上げて、キャッチ部に対する係合を解除する。これにより、ホールドア８が戸開可能な状態になり、保守員はホールドア８を開けることができる。
【００６０】
このようなアンロックキーは、板状（定規状）に形成された比較的薄い厚さを有し、可動部４２の端部４２ｃと開口部４３の開口縁４３ａと間の隙間Ｓに挿入可能である。すなわち隙間Ｓに差し込んだアンロックキーによりロック装置３８のロック解除部３８ｃを持ち上げることでロック装置３８を解除状態にすることができる。
【００６１】
なおロック解除部３８ｃを操作する治具６１は、アンロックキーに限らず、他の目的で準備される治具や、ロック解除部３８ｃの操作専用に準備される治具でもよい。上記説明した以外の天井照明装置１の残りの構成は上記第１の実施形態と同じである。
【００６２】
このような構成の天井照明装置１によれば、上記第１の実施形態と同様に、照明器具３５の保守作業性が良いとともに、かご室２２内の光量を確保しやすくなる。
【００６３】
ロック装置３８のロック解除部３８ｃが、可動部４２の端部４２ｃと開口部４３の開口縁４３ａとの間の隙間Ｓに差し込まれた治具６１（アンロックキー）によって操作されることで上記ロック状態が解除されると、治具６１を有しない一般の利用者は、ロック装置３８を解除することができないので、さらにいたずらされにくくなる。
【００６４】
治具６１を使用する構成にすることで、可動部４２の端部４２ｃと開口部４３の開口縁４３ａと間の隙間Ｓを手が入らないほど狭くしても、保守員はロック解除部３８ｃを操作することができる。これにより、隙間Ｓを小さくして可動部４２の大きさをより大きくすることが可能になり、照明面積をより確保しやすく、かご室２２内の光量をより大きく確保することができる。また可動部４２の端部４２ｃと開口部４３の開口縁４３ａと間の隙間Ｓを狭くすることができると、ロック解除部３８ｃが一般の利用者からさらに見えづらくなるので、いたずら防止にも有効である。
【００６５】
（第４の実施形態）  
次に、本発明の第４の実施形態に係るエレベータかごの天井照明装置１について、図９を参照して説明する。なお上記第１の実施形態の構成と同一または類似の機能を有する構成は、同一の符号を付してその説明を省略する。本実施形態に係る天井照明装置１は、例えば第１の実施形態と同様のエレベータ２に設けられる。
【００６６】
図９に示すように、本実施形態に係る天井照明装置１は、ロック装置３８とは別に可動部４２を固定部４１に固定する誤動作防止用のロックねじ７１を備える。ロックねじ７１は、例えば天井側板３２に設けられ、可動部４２に設けられたねじ穴７２に螺合している。このロックねじ７１を外さないと、ロック装置３８のロックを解除してもケース３６の可動部４２が下方に開かない。すなわちロックねじ７１およびロック装置３８は、互いに協働してダブルロック機構を形成している。上記説明した以外の天井照明装置１の残りの構成は上記第１の実施形態と同じである。
【００６７】
このような構成の天井照明装置１によれば、上記第１の実施形態と同様に、照明器具３５の保守作業性が良いとともに、かご室２２内の光量を確保しやすくなる。
【００６８】
ロックねじ７１がロック装置３８とダブルロック機構を形成しているので、いずれか一方のロックが解除されたとしても、もう片方のロックが保持しているため、仮にいたずらされてもダブルロック機構は容易に解除されない。またダブルロック機構の一方のロックに誤動作があったときでも、もう片方のロックが存在するため、ロックが解除されにくくなっている。
【００６９】
このロックねじ７１がケース３６と側板２４ａとの間の隙間に設けられていると、天井部３３の周縁部に手を挿入させてロックねじ７１を外す必要があり、いたずらがさらにされにくくなる。
【００７０】
以上、本発明の第１ないし第４の実施形態に係るエレベータの天井照明装置１について説明したが、本発明はこれらに限られるものではない。例えば第１ないし第４の実施形態に係る各構成要素は適宜組み合わせて用いてもよい。上記実施形態では、ロック装置３８およびヒンジ部３７は、複数設けられていたが、それぞれ単数であってもよい。
【図面の簡単な説明】
【００７１】
【図１】本発明の第１ないし第４の実施形態に係る天井照明装置が適用可能なエレベータの一例を示す断面図。
【図２】図１中に示されたかご室の内部を示す図。
【図３】本発明の第１の実施形態に係るかご室の断面図。
【図４】図３中に示されたかご室のＦ４−Ｆ４線に沿う断面図。
【図５】図３中に示されたロック装置を拡大して示す断面図。
【図６】図４中に示されたヒンジ部を拡大して示す断面図。
【図７】本発明の第２の実施形態に係るロック装置を示す断面図。
【図８】本発明の第３の実施形態に係るロック装置を示す断面図。
【図９】本発明の第４の実施形態に係るロック装置を示す断面図。
【符号の説明】
【００７２】
Ｓ…隙間、１…エレベータの天井照明装置、２２…かご室、３３…天井部、３３ａ…第１の周縁部、３３ｂ…第２の周縁部、３５…照明器具、３６…ケース、３７…ヒンジ部、３８…ロック装置、３８ａ…ラッチ部、３８ｂ…フック部、３８ｃ…ロック解除部、４１…固定部、４２…可動部、４２ａ…第１の端部、４２ｂ…第２の端部、４２ｃ…端部、４３…開口部、４３ａ…開口縁、５１…操作レバー、６１…治具、７１…ロックねじ。
【図１】
2010006572.tif 000003
【図２】
2010006572.tif 000004
【図３】
2010006572.tif 000005
【図４】
2010006572.tif 000006
【図５】
2010006572.tif 000007
【図６】
2010006572.tif 000008
【図７】
2010006572.tif 000009
【図８】
2010006572.tif 000010
【図９】
2010006572.tif 000011